【手続補正書】
【提出日】平成26年12月3日(2014.12.3)
【手続補正１】
【補正対象書類名】特許請求の範囲
【補正対象項目名】全文
【補正方法】変更
【補正の内容】
【特許請求の範囲】
【請求項１】
ウェブサイト横断情報を表示する方法であって、
実行可能命令を用いて構成される１つ以上のプロセッサの制御下で、
第１のウェブサイトの第１のサーバが、第１のユーザの少なくとも１つの所望の製品の分類下の製品情報を取得することと、
前記第１のサーバが、第２のサーバの製品分類下の類似製品ユニットの情報を取得することであって、類似製品ユニットは、表示可能製品群を含む、ことと、
前記第１のサーバが、前記少なくとも１つの所望の製品の前記分類下の前記製品情報と前記類似製品ユニットのそれぞれの製品情報との間の類似度を計算することと、
前記少なくとも１つの所望の製品の前記分類下の前記製品情報について、前記第１のサーバが、前記類似度の降順で所定の数の類似製品ユニットを選択し、前記所定の数の類似製品ユニット内に含まれる製品を、表示製品としてレンダリングすることと、
前記第１のサーバが、前記表示製品を、前記第１のユーザによって閲覧される前記第１のウェブサイトのウェブページ上に表示することと、
を含む、方法。
【請求項２】
前記第１のサーバが、前記表示製品を、前記第１のユーザによって閲覧される前記第１のウェブサイトの前記ウェブページ上に表示する前に、前記方法は、
前記第１のサーバが、前記表示製品から、フィルタリング条件を満足する製品をフィルタリングすることであって、前記フィルタリング条件は、利用可能な製品画像がないことを示す情報、製品故障を示す情報、および／または製品表示品質が基準未満であることを示す情報を含む、ことと、
前記第１のサーバが、ランキング要因に基づき、前記フィルタリングされた製品を順序付けし、所定の数の上位ランク製品を、最終的な表示製品としてレンダリングすることであって、前記ランキング要因は、（１）類似度、（２）前記製品の表示品質、（３）前記製品のクリック率、（４）前記製品の取引複雑性、（４）前記第１のユーザの登録時間、および／または（５）前記第１のユーザの信用性スコアのうちの１つ以上の情報を含む、ことと、
をさらに含む、請求項１に記載の方法。
【請求項３】
前記第１のウェブサイトの前記第１のサーバが、前記第１のユーザの少なくとも１つの所望の製品の前記分類下の前記製品情報を取得することは、
前記第１のウェブサイトの前記第１のユーザの前記分類下の製品量および製品取引量をカウントすることと、
前記製品量および前記製品取引量に基づき、前記分類のスコアを計算し、前記スコアは、単調増加関数であり、前記第１のユーザの前記分類の前記製品量および前記製品取引量は、前記関数の独立変数であり、前記分類の前記スコアは、従属変数であり、前記第１のユーザの前記所望の製品が属する分類となる所定の数の最高スコアの分類をレンダリングすることと、
前記少なくとも１つの所望の製品の前記分類について、前記分類下の製品の第１の製品キーワード群を取得することであって、前記第１の製品キーワードは、製品タイトルキーワードおよび／または製品属性キーワードを含む、ことと、
前記第１の製品キーワードと関連付けられる重みに基づき、前記第１の製品キーワード群から、所定の数の上位の第１の製品キーワードを選択することと、
前記所定の数の上位の第１の製品キーワードを、前記所望の製品の前記分類に対応する分類キーワード群としてレンダリングすることと、
を含む、請求項１に記載の方法。
【請求項４】
前記類似製品ユニットは、前記第２のサーバによって作成され、前記方法は、
前記第２のサーバが、分類情報に基づき、第２のウェブサイトの表示可能製品を分類することと、
それぞれの分類下のそれぞれの製品から、製品キーワードを抽出することであって、前記製品キーワードは、製品タイトルキーワードおよび製品属性キーワードを含む、ことと、
同一または類似の製品タイトルキーワードおよび同一または類似の製品属性キーワードを有する製品を、類似製品ユニットにグループ化することであって、類似するということは、２つの製品の主要属性値の間の差が所定の範囲内であることを意味する、ことと、
前記類似製品ユニットについて、前記製品キーワードと関連付けられる重みに基づき、所定の数の上位の第２の製品キーワードを選択することと、
前記所定の数の上位の第２の製品キーワードを、前記類似製品ユニットに対応するユニットキーワード群としてレンダリングすることと、
を含む、請求項３に記載の方法。
【請求項５】
前記第１のサーバが、前記少なくとも１つの所望の製品の前記分類下の前記製品情報と前記類似製品ユニットのそれぞれの製品情報との間の前記類似度を計算することは、
一連の類似度方程式に基づき、前記分類キーワード群とユニットキーワード群との間の類似度を計算すること
を含む、請求項４に記載の方法。
【請求項６】
前記第１のサーバが、前記表示製品を、前記第１のユーザによって閲覧される前記第１のウェブサイトの前記ウェブページ上に表示することは、
前記表示製品から、所定の期間内に前記第１のユーザによってクリックされた製品をフィルタリングすることと、
前記製品が属するそれぞれの類似製品ユニットの類似度に基づき、フィルタリングされた製品から、前記第１のユーザによって閲覧される前記第１のウェブサイトの前記ウェブページ上に表示するための製品を選択することであって、同一の類似製品ユニット内の製品は、ランダムに選択される、ことと、
を含む、請求項１に記載の方法。
【請求項７】
所定の回転速度に基づき、所定の数の選択される表示製品を変更することであって、前記回転速度は、前記第１のユーザによって閲覧される前記ウェブページ上の表示製品を変更する速度である、こと
をさらに含む、請求項６に記載の方法。
【請求項８】
ウェブサイト横断情報を表示する方法であって、
実行可能命令を用いて構成される１つ以上のプロセッサの制御下で、
第１のウェブサイトの第１のサーバが、第１のユーザの少なくとも１つの所望の製品の分類下の製品情報を取得し、前記少なくとも１つの所望の製品の前記分類下の前記製品情報を、第２のサーバに送信することと、
前記表示製品を、前記第１のユーザによって閲覧される前記第１のウェブサイトのウェブページ上に表示することを促進するために、前記第１のサーバが、前記第２のサーバから送信される表示製品を受信することと、
を含む、方法。
【請求項９】
前記第２のサーバが、前記少なくとも１つの所望の製品の前記分類下の前記製品情報と各製品分類下のすべての類似製品ユニットのそれぞれの製品情報との間の類似度を計算することであって、類似製品ユニットは、表示可能製品群を含む、ことと、
前記少なくとも１つの所望の製品の前記分類下の前記製品情報について、前記第２のサーバが、前記類似度の降順で所定の数の上位類似製品ユニットを選択し、前記所定の数の上位類似製品ユニット内に含まれる製品を、前記表示製品としてレンダリングすることと、
をさらに含む、請求項８に記載の方法。
【請求項１０】
ウェブサイト横断情報表示のシステムであって、
プロセッサと、
メモリと、
前記メモリ内に記憶され、第１のサーバの前記第１のユーザの少なくとも１つの所望の製品の分類下の製品情報、および前記第２のサーバの製品分類下の類似製品ユニットの情報を取得するように、前記プロセッサ上で実行可能である、獲得ユニットであって、類似製品ユニットは、表示可能製品群を含む、獲得ユニットと、
前記メモリ内に記憶され、前記第２のサーバの各製品分類下の前記類似製品ユニットを作成するように、前記プロセッサ上で実行可能である、作成ユニットと、
前記メモリ内に記憶され、前記少なくとも１つの所望の製品の前記分類下の前記製品情報と前記類似製品ユニットのそれぞれの製品情報との間の類似度を計算するように、前記プロセッサ上で実行可能である、計算ユニットと、
前記メモリ内に記憶され、前記少なくとも１つの所望の製品の前記分類下の前記製品情報について、前記類似度の降順で所定の数の上位類似製品ユニットを選択し、前記所定の数の上位類似製品ユニット内に含まれる製品を、表示製品としてレンダリングするように、前記プロセッサ上で実行可能である、選択ユニットと、
前記メモリ内に記憶され、前記表示製品を、前記第１のユーザによって閲覧される第１のウェブサイトのウェブページ上に表示するように、前記プロセッサ上で実行可能である、表示ユニットと、
を備える、システム。
【請求項１１】
前記第１のサーバに置かれ、前記選択ユニットに連結され、前記表示製品から、フィルタリング条件を満足する製品をフィルタリングするように構成される、一次フィルタリングユニットであって、前記フィルタリング条件は、利用可能な製品画像がないことを示す情報、製品故障を示す情報、および／または製品表示品質が基準未満であることを示す情報を含む、一次フィルタリングユニットと、
前記第１のサーバに置かれ、前記一次フィルタリングユニットおよび前記表示ユニットに連結され、ランキング要因に基づき、フィルタリングされた製品を順序付けするように構成され、所定の数の上位ランク製品を、最終的な表示製品としてレンダリングする、順序付けユニットであって、前記ランキング要因は、（１）類似度、（２）前記製品の表示品質、（３）前記製品のクリック率、（４）前記製品の取引複雑性、（５）前記第１のユーザの登録時間、および／または（６）前記第１のユーザの信用性スコアのうちの１つ以上の情報を含む、順序付けユニットと、
をさらに含む、請求項１０に記載のシステム。
【請求項１２】
前記獲得ユニットは、
前記第１のウェブサイトの前記第１のユーザの各分類下の製品量および製品取引量をカウントするように構成される、分類統計サブユニットと、
前記製品量および前記製品取引量に基づき、各分類のスコアを計算し、前記スコアは、単調増加関数であり、前記第１のユーザの各分類の前記製品量および前記製品取引量は、前記関数の独立変数であり、各分類の前記スコアは、従属変数であり、前記第１のユーザの所望の製品の分類となる所定の数の最高スコアの分類をレンダリングするように構成される、計算サブユニットと、
前記所望の製品の各分類について、それぞれの分類の前記製品情報から、各製品の第１の製品キーワード群を取得するように構成される、分類キーワード抽出サブユニットであって、前記第１の製品キーワードは、製品タイトルキーワードおよび／または製品属性キーワードを含む、分類キーワード抽出サブユニットと、
前記第１の製品キーワードと関連付けられるそれぞれの重みに基づき、前記第１の製品キーワード群から、所定の数の上位の第１の製品キーワードを選択するように構成される、キーワード選択サブユニットと、
前記所望の製品のそれぞれの分類に対応する分類キーワード群を形成するために、前記所定の数の上位の第１の製品キーワードを使用するように構成される、分類キーワード群生成サブユニットと、
を備える、請求項１０に記載のシステム。
【請求項１３】
前記作成ユニットは、
分類情報に基づき、前記第２のウェブサイトの前記表示可能製品を分類するように構成される、一次分類ユニットと、
各分類下の各製品から、製品タイトルキーワードおよび製品属性キーワードを抽出し、同一または類似の製品タイトルキーワードおよび同一または類似の主要属性キーワードを有する製品を、類似製品ユニットにグループ化するように構成される、二次分類ユニットであって、類似するということは、２つの製品の主要属性値の間の差が所定の範囲内であることを表す、二次分類ユニットと、
各類似製品ユニットについて、それぞれの類似製品ユニットの製品情報から、少なくとも１つのユニットキーワードを抽出するように構成される、ユニットキーワード抽出ユニットと、
それぞれのユニットキーワード群を形成するために、各類似製品ユニットの前記少なくとも１つのユニットキーワードを使用するように構成される、ユニットキーワード群生成ユニットであって、前記ユニットキーワード群は、それぞれの類似製品ユニットの前記製品情報を表現する、ユニットキーワード群生成ユニットと、
を備える、請求項１２に記載のシステム。
【請求項１４】
前記計算ユニットは、一連の類似度方程式に基づき、分類キーワード群とユニットキーワード群との間の類似度を計算するように構成される、請求項１３に記載のシステム。
【請求項１５】
前記表示ユニットは、
前記表示製品から、所定の期間内に前記第１のユーザによってクリックされた製品をフィルタリングするように構成される、二次フィルタリングユニットと、
前記製品が属する前記類似製品ユニットのそれぞれの類似度に基づき、フィルタリングされた表示製品から、前記第１のユーザによって閲覧される前記第１のウェブサイトの前記ウェブページ上に表示するための製品を選択するように構成される、表示制御ユニットであって、同一の類似製品ユニット内の製品は、ランダムに選択される、表示制御ユニットと、
を備える、請求項１０に記載のシステム。
【請求項１６】
前記表示ユニットは、
所定の回転速度に基づき、表示するための所定の数の選択される製品を変更するように構成される、表示更新ユニットであって、前記回転速度は、前記第１のユーザによってブラウズされる前記ウェブページ上の表示製品を変更する速度に対応する、表示更新ユニット
をさらに備える、請求項１５に記載のシステム。
【請求項１７】
ウェブサイト横断情報表示のシステムであって、
プロセッサと、
メモリと、
前記メモリ内に記憶され、第１のウェブサイトと関連付けられる第１のサーバの第１のユーザの少なくとも１つの所望の製品の分類下の製品情報を取得するように、前記プロセッサ上で実行可能である、獲得ユニットと、
前記メモリ内に記憶され、前記少なくとも１つの所望の製品の前記分類下の前記製品情報を、第２のサーバに送信するように、前記プロセッサ上で実行可能である、第１の送信ユニットであって、前記第２のサーバは、前記第１のウェブサイトとは異なる第２のウェブサイトと関連付けられる、第１の送信ユニットと、
前記メモリ内に記憶され、前記第２のサーバから、表示製品の情報を受信し、前記表示製品を、前記第１のユーザによって閲覧される前記第１のウェブサイトのウェブページ上に表示するように、前記プロセッサ上で実行可能である、表示ユニットと、
を備える、システム。
【請求項１８】
前記第２のサーバは、
前記少なくとも１つの所望の製品の前記分類下の前記製品情報と前記第２のサーバの各製品分類下のすべての類似製品ユニットのそれぞれの製品情報との間の類似度を計算するように構成される、計算ユニットであって、類似製品ユニットは、表示可能製品群を含む、計算ユニットと、
前記少なくとも１つの所望の製品の前記分類下の前記製品情報について、前記類似度の降順で所定の数の上位類似製品ユニットを選択し、前記所定の数の上位類似製品ユニット内に含まれる製品を、前記表示製品としてレンダリングするように構成される、選択ユニットと、
前記表示ユニットが、前記表示製品を、前記第１のユーザによって閲覧される前記第１のウェブサイトの前記ウェブページ上に表示することを促進するために、前記表示製品を、前記表示ユニットに送信するように構成される、第２の送信ユニットと、
を備える、請求項１７に記載のシステム。
【請求項１９】
前記表示製品から、フィルタリング条件を満足する製品をフィルタリングする、前記メモリ内に記憶され、前記プロセッサ上で実行可能である、一次フィルタリングユニットであって、前記フィルタリング条件は、利用可能な製品画像がないことを示す情報、製品故障を示す情報、および／または製品表示品質が基準未満であることを示す情報を含む、一次フィルタリングユニット
をさらに備える、請求項１７に記載のシステム。
【請求項２０】
ランキング要因に基づき、前記フィルタリングされた製品を順序付けし、所定の数の上位ランク製品を、最終的な表示製品としてレンダリングする、前記メモリ内に記憶され、前記プロセッサ上で実行可能である、順序付けユニットであって、前記ランキング要因は、類似度の情報、前記製品の表示品質の情報、前記製品のクリック率の情報、前記製品の取引複雑性の情報、前記第１のユーザの登録時間の情報、および／または前記第１のユーザの信用性スコアの情報を含む、順序付けユニットをさらに備える、請求項１９に記載のシステム。